(57)【要約】      （修正有）【課題】昇降距離や昇降時間に応じた気圧制御パターンを設定することが可能な気圧制御パターンの設定方法を提供する。【解決手段】かご室内の気圧を気圧変化率Ｂ[ｈPa／ｓ]で気圧変化量Ａ[ｈPa]だけ変化させる気圧変化区間が蹴上げ、前記気圧を変化させない気圧一定区間が踏面に相当する階段状気圧制御パターンを設定するため、前記気圧一定区間に割り当てる時間をＣ[ｓ]、１回の昇降距離Ｌ[ｍ]によって定まる大気圧差をＰ[ｈPa]、１回の昇降に要する昇降時間をＴ[ｓ]、階段状における段数をＮとした場合に、耳詰まりの指標値が最小となるようなＮとＣを求め、Ａ＝Ｐ／Ｎ、Ｂ＝Ｐ／{Ｔ−Ｃ・（Ｎ−１）}で算出されるＡ、Ｂおよび求められたＮとＣで構成される気圧制御パターンを設定する。【選択図】図１
2019151484.tif 000002
【特許請求の範囲】
【請求項１】
乗りかごの昇降中におけるかご室内の気圧が階段状に変化するよう制御されるエレベータに適用される前記階段状をした気圧制御パターンの設定方法であって、
前記階段状は、かご室内の気圧を気圧変化率Ｂ[ｈPa／ｓ]で気圧変化量Ａ[ｈPa]だけ変化させる気圧変化区間が蹴上げ、かご室内の気圧を変化させない気圧一定区間が踏面に相当する階段状であり、
前記気圧一定区間に割り当てる時間をＣ[ｓ]、出発階から停止階までの昇降距離Ｌ[ｍ]によって定まる両階間の大気圧差をＰ[ｈPa]、前記昇降距離Ｌの昇降に要する昇降時間をＴ[ｓ]、前記階段状における段数をＮ（Ｎは２以上の整数）とした場合に、（数１）を含む式で算出される耳詰まりの程度を指標する指標値が最小となるようなＮとＣを求め、
求められたＮから（数２）で定まるＡ、求められたＮとＣから（数３）で定まるＢ、および求められたＣから、Ｎ段の階段状となるように気圧制御パターンを設定することを特徴とする気圧制御パターン設定方法。
【数１】
2019151484.tif 000007
（数２）：Ａ＝Ｐ／Ｎ
（数３）：Ｂ＝Ｐ／{Ｔ−Ｃ・（Ｎ−１）}
上式中、係数αＡ，αＢ，およびαＣ、並びに、定数βＡ，βＢ，およびβＣは、試験により定め得る値である。
【請求項２】
前記エレベータは、前記乗りかごが、加速度ａ[ｍ／ｓ２]、定格速度ｖ[ｍ／ｓ]で運転されるエレベータであって、
前記昇降時間Ｔを前記加速度ａ、前記定格速度ｖ、および前記昇降距離Ｌから、（数４）により定めることを特徴とする請求項１に記載の気圧制御パターン設定方法。
（数４）：Ｔ＝（ｖ／ａ）＋（Ｌ／ｖ）
【請求項３】
前記大気圧差Ｐを、前記昇降距離Ｌから（数５）により求めるか、
【数５】
2019151484.tif 000008
または、
昇降距離Ｌと当該昇降距離Ｌに対応する大気圧差Ｐを昇降距離Ｌ毎に記憶したテーブルを準備し、当該テーブルを参照して、昇降距離Ｌに対応する大気圧差Ｐを求めることを特徴とする請求項１または２に記載の気圧制御パターン設定方法。
上記（数５）において、ｔ0は、乗りかごの昇降経路における平均的な気温[℃]である。
【請求項４】
出発階から停止階まで昇降される乗りかごと、
前記乗りかごのかご室内の気圧を調整する気圧調整装置と、
前記気圧調整装置を制御する制御装置と、
を有し、
前記制御装置は、請求項１〜３のいずれか１項に記載の気圧制御パターン設定方法によって設定された気圧制御パターンに従ってかご室内の気圧が変化するように前記気圧調整装置を制御することを特徴とするエレベータ。
【請求項５】
乗りかごの乗り場毎に設けられた、前記乗りかごを呼ぶための呼びボタンと、
前記かご室内に設けられた、行先階を受け付ける階数ボタンと、
を備え、
前記制御装置は、
昇降距離記憶部と、
気圧制御パターン演算部と、
気圧制御部と、
を有していて、
前記昇降距離記憶部は、
出発階と停止階の組み合わせによって定まる前記昇降距離Ｌを当該組み合わせ毎に記憶しており、
前記気圧制御パターン演算部は、
前記呼びボタンで出発階を、前記階数ボタンで停止階を特定し、当該出発階と当該停止階との組み合わせから前記昇降距離記憶部を参照して昇降距離Ｌを決定し、
決定した昇降距離Ｌに対応する前記大気圧差Ｐと決定した昇降距離Ｌの昇降に要する前記昇降時間Ｔとから、前記（数１）を用いた請求項１〜３のいずれか１項に記載の方法によって前記気圧制御パターンを設定し、
前記気圧制御部は、
設定された気圧制御パターンに従って前記かご室内の気圧が変化するように前記気圧調整装置を制御することを特徴とする請求項４に記載のエレベータ。
【発明の詳細な説明】
【技術分野】
【０００１】
本発明は、エレベータ等に関し、特に、かご室内の気圧制御技術に関する。
【背景技術】
【０００２】
高層ビル等に設置された高速エレベータを利用して乗客が、例えば、最上階から最下階まで一気に下降するとかご室内の気圧の変化に起因して、乗客に耳詰まりが生じ、乗客が不快感を覚えることがある。
【０００３】
すなわち、かごは、最上階から加速運転、等速運転（定格速度での運転）、減速運転されて最下階まで下降するのであるが、等速運転中は気圧の変化率が大きい時間が長く継続するため耳詰まりの程度が大きくなり不快感が強くなるのである。
【０００４】
近年出現したいわゆる超高層ビル等に設置されるエレベータは、昇降行程が非常に長くなっており、また、搬送効率を向上させるためその昇降速度の超高速化が図られているので、耳詰まりによる不快感は一層強くなる傾向にあり、その軽減対策が求められている。
【０００５】
昇降中に生じる不快感を緩和させるためには、耳詰まりの程度が比較的小さい段階で乗客に唾を飲み込ませる（以下、乗客が唾を飲み込むことを「嚥下」と称する。）ことが有効であり、嚥下を誘発させるためには、かご室内の気圧を階段状に変化させればよいことが知られている（特許文献１〜６）。
【０００６】
すなわち、気圧の変化率が大きい区間（以下、「気圧変化区間」と言う。）を短時間設け、これに続けて気圧が一定となる区間（以下、「気圧一定区間」と言う。）設けることにより、乗客に、気圧変化区間において比較的軽い耳詰まりを感じさせ、気圧一定区間で嚥下させるように誘導することが可能となる。これにより、耳詰まりの程度が大きくなる前、すなわち、不快感が強くなる前に耳詰まりの程度がいったん緩和されることとなる。
【０００７】
特許文献１には、気圧調整装置（特許文献１では「与圧装置」）を制御して、一の気圧変化区間が蹴上げに相当し、これに続く一の気圧一定区間が踏面に相当する階段状にかご室内の気圧を変化させる制御装置（特許文献１では「与圧制御装置」）が開示されている。ここで、かご室内において階段状に変化させる気圧のパターンを「気圧制御パターン」と称することとする。
【先行技術文献】
【特許文献】
【０００８】
【特許文献１】特開平７−１１２８７９号公報
【特許文献２】特開２００９−１３７７３７号公報（特許第５１４８２５７号）
【特許文献３】特開２０１０−２６９８５５号公報（特許第５３９３２５３号）
【特許文献４】特開２０１４−１１８２２０号公報（特許第５９７０３６２号）
【特許文献５】特開２０１５−２０２９５２号公報
【特許文献６】特開２０１６−２０２７４号公報
【発明の概要】
【発明が解決しようとする課題】
【０００９】
ところで、言うまでもなく、昇降行程（最下階床面と最上階床面の垂直距離）は、設置される建物の高さ等によってエレベータ毎に異なる。また、１回の運転におけるかごの昇降距離（昇降距離の最長は昇降行程）は、乗客が乗り込む出発階と乗客が指定する目的階の組み合わせによっても異なる。さらに、昇降速度は、エレベータの機種等によってさまざまであるため、昇降距離が同じでもエレベータによって、当該昇降距離の昇降に要する時間（昇降時間）も変わってくる。
【００１０】
しかしながら、従来、一つの昇降距離および一つの昇降時間に対して一つの気圧制御パターンを提示するだけで、昇降距離や昇降時間が変わった場合における気圧制御パターン決定の具体的な手法については特段提示されていない。すなわち、従来、任意の昇降距離と任意の昇降時間の組み合わせに対する気圧制御パターンの具体的な設定方法については特段提示されていない。
【００１１】
本発明は、上記した課題に鑑み、昇降距離や昇降時間に応じた気圧制御パターンを設定することが可能な気圧制御パターンの設定方法、および当該設定方法で設定された気圧制御パターンにしたがってかご室内の気圧が変化するよう気圧調整装置を制御する制御装置を備えたエレベータを提供することを目的とする。
【課題を解決するための手段】
【００１２】
上記の目的を達成するため、本発明に係る気圧制御パターンの設定方法は、乗りかごの昇降中におけるかご室内の気圧が階段状に変化するよう制御されるエレベータに適用される前記階段状をした気圧制御パターンの設定方法であって、前記階段状は、かご室内の気圧を気圧変化率Ｂ[ｈPa／ｓ]で気圧変化量Ａ[ｈPa]だけ変化させる気圧変化区間が蹴上げ、かご室内の気圧を変化させない気圧一定区間が踏面に相当する階段状であり、前記気圧一定区間に割り当てる時間をＣ[ｓ]、出発階から停止階までの昇降距離Ｌ[ｍ]によって定まる両階間の大気圧差をＰ[ｈPa]、前記昇降距離Ｌの昇降に要する昇降時間をＴ[ｓ]、前記階段状における段数をＮ（Ｎは２以上の整数）とした場合に、（数１）を含む式で算出される耳詰まりの程度を指標する指標値が最小となるようなＮとＣを求め、求められたＮから（数２）で定まるＡ、求められたＮとＣから（数３）で定まるＢ、および求められたＣから、Ｎ段の階段状となるように気圧制御パターンを設定することを特徴とする。
【数１】
2019151484.tif 000003
（数２）：Ａ＝Ｐ／Ｎ
（数３）：Ｂ＝Ｐ／{Ｔ−Ｃ・（Ｎ−１）}
上式中、係数αＡ，αＢ，およびαＣ、並びに、定数βＡ，βＢ，およびβＣは、試験により定め得る値である。
【００１３】
また、前記エレベータは、前記乗りかごが、加速度ａ[ｍ／ｓ２]、定格速度ｖ[ｍ／ｓ]で運転されるエレベータであって、前記昇降時間Ｔを前記加速度ａ、前記定格速度ｖ、および前記昇降距離Ｌから、（数４）により定めることを特徴とする。
（数４）：Ｔ＝（ｖ／ａ）＋（Ｌ／ｖ）
【００１４】
さらに、前記大気圧差Ｐを、前記昇降距離Ｌから（数５）により求めるか、
【数５】
2019151484.tif 000004
または、昇降距離Ｌと当該昇降距離Ｌに対応する大気圧差Ｐを昇降距離Ｌ毎に記憶したテーブルを準備し、当該テーブルを参照して、昇降距離Ｌに対応する大気圧差Ｐを求めることを特徴とする。
上記（数５）において、ｔ0は、乗りかごの昇降経路における平均的な気温[℃]である。
【００１５】
上記の目的を達成するため、本発明に係るエレベータは、出発階から停止階まで昇降される乗りかごと、前記乗りかごのかご室内の気圧を調整する気圧調整装置と、前記気圧調整装置を制御する制御装置と、を有し、前記制御装置は、請求項１〜３のいずれか１項に記載の気圧制御パターン設定方法によって設定された気圧制御パターンに従ってかご室内の気圧が変化するように前記気圧調整装置を制御することを特徴とする。
【００１６】
また、乗りかごの乗り場毎に設けられた、前記乗りかごを呼ぶための呼びボタンと、前記かご室内に設けられた、行先階を受け付ける階数ボタンと、を備え、前記制御装置は、昇降距離記憶部と、気圧制御パターン演算部と、気圧制御部と、を有していて、前記昇降距離記憶部は、出発階と停止階の組み合わせによって定まる前記昇降距離Ｌを当該組み合わせ毎に記憶しており、前記気圧制御パターン演算部は、前記呼びボタンで出発階を、前記階数ボタンで停止階を特定し、当該出発階と当該停止階との組み合わせから前記昇降距離記憶部を参照して昇降距離Ｌを決定し、決定した昇降距離Ｌに対応する前記大気圧差Ｐと決定した昇降距離Ｌの昇降に要する前記昇降時間Ｔとから、前記（数１）を用いた請求項１〜３のいずれか１項に記載の方法によって前記気圧制御パターンを設定し、前記気圧制御部は、設定された気圧制御パターンに従って前記かご室内の気圧が変化するように前記気圧調整装置を制御することを特徴とする。
【発明の効果】
【００１７】
上記した本発明に係る気圧制御パターンの設定方法によれば、上記昇降距離Ｌ、上記昇降時間Ｔ、および、当該昇降距離Ｌによって定まる大気圧差Ｐを（数１）に代入し、（数１）を含む式で算出される上記指標値が最小となる上記Ｎと上記Ｃを求めれば、（数２）から気圧変化量Ａ、（数３）から気圧変化率Ｂを算出できるため、前記Ａ、前記Ｂ、前記Ｃ、前記Ｎで構成される気圧制御パターンが設定されることとなる。すなわち、本発明に係る気圧制御パターンの設定方法によれば、任意の昇降距離と任意の昇降時間に応じた気圧制御パターンを設定することが可能となる。
【００１８】
また、本発明に係るエレベータによれば、気圧制御パターンに従ってかご室内の気圧が変化するように気圧調整装置を制御する制御装置を有するエレベータにおいて、前記気圧制御パターンが上述した気圧制御パターン設定方法によって設定されるため、出発階から停止階までの乗りかごの室内の気圧が、任意の昇降距離と任意の昇降時間に応じた気圧制御パターンに従って調整されることとなる。
【図面の簡単な説明】
【００１９】
【図１】階段状をした気圧制御パターンを示す図であり、（ａ）は乗りかごの下降運転時における気圧制御パターンを、（ｂ）は上昇運転時における気圧制御パターンをそれぞれ示している。
【図２】気圧制御パターンにおける気圧変化量と耳詰まり強さとの関係を調査した生理心理評価試験の結果を示すグラフである。
【図３】気圧制御パターンにおける気圧変化率と耳詰まり強さとの関係を調査した生理心理評価試験の結果を示すグラフである。
【図４】気圧制御パターンにおける気圧一定時間と耳詰まり強さとの関係を調査した生理心理評価試験の結果を示すグラフである。
【図５】数式により求めた耳詰まりの程度を指標する指標値と実際に生じる耳詰まり強さとの関係を示したグラフであり、（ａ）は加圧制御時（下降運転時）のグラフであり、（ｂ）は減圧制御時（上昇運転時）のグラフである。
【図６】上記数式を補正した補正後の数式により求めた耳詰まりの程度を指標する指標値と実際に生じる耳詰まり強さとの関係を示したグラフであり、（ａ）は加圧制御時（下降運転時）のグラフであり、（ｂ）は減圧制御時（上昇運転時）のグラフである。
【図７】上記補正後の数式を用いて求めた気圧制御パターンの例を、昇降条件と共に示したものである。
【図８】図７に示す気圧変化量Ａ、気圧変化率Ｂ、気圧一定時間Ｃ、および段数Ｎで構成される気圧制御パターンを示す図であり、（ａ）は図７におけるＮｏ.１の場合を、（ｂ）は同Ｎｏ.２の場合をそれぞれ示している。
【図９】実施形態に係るエレベータの概略構成を示す図である。
【図１０】（ａ）は、主として、気圧調整装置を制御する制御装置の機能ブロック図を示しており、（ｂ）は、前記制御装置における昇降条件記憶部の構成を示している。
【図１１】上記制御装置の気圧制御パターン演算部が実行する処理内容を示したフローチャートである。
【発明を実施するための形態】
【００２０】
以下、本発明の実施形態について図面を参照しながら説明する。
＜気圧制御パターンの前提と定義＞
図１は、本実施形態で設定すべき階段状をした気圧制御パターンを示す図であり、横軸に出発階から停止階までの時間経過[ｓ]を、縦軸にかご室内の気圧[ｈPa]を採ったグラフである。
【００２１】
図１（ａ）は、乗りかごの下降運転時における気圧制御パターンを、図１（ｂ）は、上昇運転時における気圧制御パターンをそれぞれ示している。
【００２２】
図１に示すように、気圧制御パターンは、下降運転時は右上がりの階段状になる一方、上昇運転時は右下がりの階段状になるものの、階段状には違いがないので、図１（ａ）と図１（ｂ）におけるグラフ（気圧制御パターン）には、同じ符号を付し、まとめて説明することとする。
【００２３】
気圧制御パターンが呈する階段状は、かご室内の気圧を一定の気圧変化率で所定の気圧変化量だけ変化させる気圧変化区間Ｋ１が蹴上げ、かご室内の気圧を変化させない気圧一定区間Ｋ２が踏面に相当する階段状である。
【００２４】
ここで、上記所定の気圧変化量をＡ[ｈPa]、上記一定の気圧変化率をＢ[ｈPa／ｓ]、気圧一定区間Ｋ２に割り当てられる時間（以下、「気圧一定時間」と言う。）をＣ[ｓ]とする。
【００２５】
本実施形態では、気圧制御パターンを複数段の階段状に設定している。図１に示すのはいずれも３段構成とした階段状の例である。すなわち、一の気圧制御パターンにおいて気圧変化区間Ｋ１が出現する回数が階段状における段数に相当する。また、「段数−１」が、気圧一定区間Ｋ２が現れる回数となる。
ここで、階段状をした気圧制御パターンにおける段数をＮ（Ｎは２以上の整数）とする。
【００２６】
＜気圧制御パターンの決定手法＞
次に、気圧制御パターンを設定するために用いる後述の数式（数１）を、本願発明者等が導出した過程について説明する。
【００２７】
〔気圧変化量(Ａ)、気圧変化率(Ｂ)、気圧一定時間(Ｃ)の各々と耳詰まりとの関係性〕
上述の通り、階段状をした気圧制御パターン（の階段形状）は、
Ａ：気圧変化量[ｈPa]
Ｂ：気圧変化率[ｈPa／ｓ]
Ｃ：気圧一定時間[ｓ]
Ｎ：段数
の４つの要素で決まる。また、Ａ、Ｂ、Ｃの３つの要素が決まれば、あとは段数分の繰り返しとなる。そこで、本願の発明者等は、先ず、３つの要素Ａ、Ｂ、Ｃの各々と耳詰まりとの関係性について、要素毎に調査した。
【００２８】
具体的には、上記３つの要素の内、２つの要素を固定し、調査の対象とする残りの１つの要素を変化させ、当該変化させた要素と耳詰まりとの関係性を把握するための生理心理評価試験を実施した。
【００２９】
当該試験には、減圧試験設備を用いた。減圧試験設備は、気密性を有する試験室内を任意に減圧し得る設備である。
【００３０】
試験室内の気圧を階段状に変化させたときに、試験室内にいる被験者に対し、そのときに感じている耳詰まりの強さを評価してもらう形式の試験を実施した。評価のタイミングは、各気圧一定区間の終了時である。被験者は、全部で２０名とした。
【００３１】
耳詰まりの強さは１０段階で評価し、値が大きいほど耳詰まりを強く感じていることとした。この１０段階での評価値を「耳詰まり強さＥ」とする。
【００３２】
また、気圧変化量Ａ、気圧変化率Ｂ、および気圧一定時間Ｃのいずれか一つを変化させる際に、残りの２つに用いる固定値Ａ０、Ｂ０、Ｃ０は、それぞれ、
【００３３】
Ａ０＝４.５[ｈPa]、Ｂ０＝０.５[ｈPa／ｓ]、Ｃ０＝６.０[ｓ]
【００３４】
に設定した。上記固定値の組み合わせ（Ａ０＝４.５、Ｂ０＝０.５、Ｃ０＝６.０）を、以下「基準条件」と称する。
【００３５】
固定値Ａ０、Ｂ０、Ｃ０を上記の値に設定した理由は以下の通りである。
すなわち、３つの要素Ａ、Ｂ、Ｃ各々単独の耳詰まりとの関係性を把握するのが試験の目的であるため、固定値Ａ０、Ｂ０、Ｃ０各々は、他の要素Ａ、Ｂ、Ｃと耳詰まりとの関係性の把握に可能な限り影響を与えないような値にしたのである。
【００３６】
発明者等は、この生理心理評価試験に至るまでに、上記減圧試験設備を用い試験室内の気圧を階段状に変化させて耳詰まりの程度を調べる試験をいくつか行っている。その際に、気圧変化量Ａは大きいほど耳詰まりを感じやすくなるところ、気圧変化量Ａが４.５[ｈPa]を超えた辺りから耳詰まりが認識されることが分かったため、耳詰まりを感じ始める直前の値（４.５）を固定値Ａ０とした。
【００３７】
また、気圧変化率Ｂは、小さいほど耳詰まりは感じにくいと推測されるところ、設定し得るできるだけ小さな値（０.５）を固定値Ｂ０とした。
【００３８】
さらに、気圧一定時間Ｃは、公開特許公報において、４〜６[ｓ]確保すれば、耳詰まりが解消されるとの記載が見受けられたところ、この上限である６.０[ｓ]を固定値Ｃ０とした。
【００３９】
試験は、乗りかごの下降運転時と上昇運転時を想定して実施した。すなわち、下降運転時を想定した場合は気圧制御パターンが右上がりの階段状になるように試験室内を加圧し（以下、「加圧制御」と称する。）、上昇運転時を想定した場合は気圧制御パターンが右下がりの階段状になるように試験室内を減圧した（以下、「減圧制御」と称する。）。
【００４０】
なお、上記の固定値Ａ０，Ｂ０，Ｃ０の組み合わせからなる気圧制御パターン（以下、「基準パターン」と称する。）に従って試験室の気圧を変化させて試験を実施した結果、加圧制御時（下降運転想定時）の耳詰まり強さＥ０ｄｎと、減圧制御時（上昇運転想定時）の耳詰まり強さＥ０ｕｐは、それぞれ、Ｅ０ｄｎ＝３.２、Ｅ０ｕｐ＝１.９であった。なお、Ｅ０ｄｎとＥ０ｕｐは、上記被験者２０人の平均値である。以下、加圧制御時（下降運転時）と減圧制御時（上昇運転時）を区別する場合、加圧制御時（下降運転時）の場合は添え字「ｄｎ」を、減圧制御時（上昇運転時）の場合は添え字「ｕｐ」を付加し、両者の場合を統括する場合は、これらの添え字を省略することとする。
【００４１】
（i）気圧変化量Ａと耳詰まり強さＥとの関係
気圧変化率と気圧一定時間をそれぞれＢ＝０.５[ｈPa／ｓ]、Ｃ＝６.０[ｓ]と固定し、気圧変化量Ａのみを変化させたときの試験結果を図２に示す。図２は横軸に気圧変化量Ａを縦軸に耳詰まり強さＥを採ったグラフである。
【００４２】
耳詰まり強さＥは、上記被験者２０人の平均値であり、加圧制御時（下降運転時）における耳詰まり強さを黒丸「●」で、減圧制御時（上昇運転時）における耳詰まり強さを白丸「○」でそれぞれプロットした。この点については、後述する図３、図４においても同様である。
【００４３】
図２から、加圧制御をしたときの方が減圧制御したときよりも相対的に耳詰まり強さＥが強くなることが分かる。
【００４４】
また、加圧制御時においても減圧制御時においても、気圧変化量Ａが大きくなる程、耳詰まり強さＥも大きくなり、気圧変化量Ａと耳詰まり強さＥＡの関係には、線形性が認められることが分かる。すなわち、気圧変化量Ａと耳詰まり強さＥＡの関係は、１次式（式Ａ）で表される。
【００４５】
ＥＡ＝α１Ａ＋β１          …（式Ａ）
【００４６】
ここで、図２に示す試験結果から、係数α１と定数β１を求め、加圧制御時の耳詰まり強さＥＡｄｎと気圧変化量Ａ、減圧制御時の耳詰まり強さＥＡｕｐと気圧変化量Ａの関係をそれぞれ１次式で表すと、
【００４７】
ＥＡｄｎ＝０.０１７４Ａ＋３.１４０７          …（式Ａ-１）
【００４８】
ＥＡｕｐ＝０.０２０４Ａ＋１.８５８          …（式Ａ-２）
【００４９】
となった。
【００５０】
（ii）気圧変化率Ｂと耳詰まり強さＥとの関係
気圧変化量と気圧一定時間をそれぞれＡ＝４.５[ｈPa]、Ｃ＝６.０[ｓ]と固定し、気圧変化率Ｂのみを変化させたときの試験結果を図３に示す。図３は横軸に気圧変化率Ｂを縦軸に耳詰まり強さＥを採ったグラフである。
【００５１】
図３から、加圧制御をしたときの方が減圧制御したときよりも相対的に耳詰まり強さＥが強くなることが分かる。
【００５２】
また、加圧制御時においても減圧制御時においても、気圧変化率Ｂが大きくなる程、耳詰まり強さＥも大きくなり、気圧変化率Ｂと耳詰まり強さの関係には、線形性が認められることが分かる。すなわち、気圧変化率Ｂと耳詰まり強さＥＢの関係は、１次式（式Ｂ）で表される。
【００５３】
ＥＢ＝α２Ｂ＋β２          …（式Ｂ）
【００５４】
ここで、図３に示す試験結果から、係数α２と定数β２を求め、加圧制御時の耳詰まり強さＥＢｄｎと気圧変化率Ｂ、減圧制御時の耳詰まり強さＥＢｕｐと気圧変化率Ｂの関係をそれぞれ１次式で表すと、
【００５５】
ＥＢｄｎ＝０.６９３２Ｂ＋３.４１０８          …（式Ｂ-１）
【００５６】
ＥＢｕｐ＝０.５１３５Ｂ＋２.０２８４          …（式Ｂ-２）
【００５７】
となった。
【００５８】
（iii）気圧一定時間Ｃと耳詰まり強さＥとの関係
気圧変化量と気圧変化率をそれぞれＡ＝４.５[ｈPa]、Ｂ＝０.５[ｈPa／ｓ]と固定し、気圧一定時間Ｃのみを変化させたときの試験結果を図４に示す。図４は横軸に気圧一定時間Ｃを縦軸に耳詰まり強さＥを採ったグラフである。
【００５９】
図４から、加圧制御をしたときの方が減圧制御したときよりも相対的に耳詰まり強さＥが強くなることが分かる。
【００６０】
また、加圧制御時においても減圧制御時においても、気圧一定時間Ｃが大きくなる程、耳詰まり強さＥは小さくなり、気圧一定時間Ｃと耳詰まり強さの関係には、線形性が認められることが分かる。すなわち、気圧一定時間Ｃと耳詰まり強さＥＣの関係は１次式（式Ｃ）で表される。
【００６１】
ＥＣ＝α３Ｃ＋β３          …（式Ｃ）
【００６２】
ここで、図４に示す試験結果から、係数α３と定数β３を求め、加圧制御時の耳詰まり強さＥＣｄｎと気圧一定時間Ｃ、減圧制御時の耳詰まり強さＥＣｕｐと気圧一定時間Ｃの関係をそれぞれ１次式で表すと、
【００６３】
ＥＣｄｎ＝−０.０８１Ｃ＋３.７５３４          …（式Ｃ-１）
【００６４】
ＥＣｕｐ＝−０.０６７Ｃ＋２.５５２６          …（式Ｃ-２）
【００６５】
となった。
【００６６】
〔耳詰まりの程度を指標する指標値の算出式〕
上述した通り、耳詰まり強さＥは、気圧変化量Ａ、気圧変化率Ｂ、および気圧一定時間Ｃの各々と１次式の関係にあることが判明したため、これを踏まえ、これら３つの要素から耳詰まりの程度を指標する指標値を算出できる数式を導出することとした。
【００６７】
基本的には、耳詰まり強さＥＡ（式Ａ）、ＥＢ（式Ｂ）、およびＥＣ（式Ｃ）を掛け合わせて得られる値を上記指標値Ｉ１とすることとした。
【００６８】
すなわち、
【００６９】
Ｉ１＝ＥＡ・ＥＢ・ＥＣ
＝（α１・Ａ＋β１）・（α２・Ｂ＋β２）・（α３・Ｃ＋β３）    …（式Ｄ）
【００７０】
である。つまり、Ｉ１の値が最も小さくなるようなＡ、Ｂ、およびＣの組み合わせからなる気圧制御パターンとすることで、乗客が感じる耳詰まりの強さを緩和させる効果が可能な限り大きくなると考えたのである。
【００７１】
ここで、
出発階から停止階までの昇降距離をＬ[ｍ]、
出発階と停止階との間の大気圧差をＰ[ｈPa]、
乗りかごの加速度をａ[ｍ／ｓ２]、
乗りかごの定格速度をｖ[ｍ／ｓ]、
出発階から停止階までに要する昇降時間をＴ[ｓ]、
とすると、気圧変化量Ａ、気圧変化率Ｂ、および昇降時間Ｔは、それぞれ、
【００７２】
Ａ＝Ｐ／Ｎ                            …（数２）
【００７３】
Ｂ＝Ｐ／{Ｔ−Ｃ・（Ｎ−１）}            …（数３）
【００７４】
Ｔ＝（ｖ／ａ）＋（Ｌ／ｖ）            …（数４）
【００７５】
となる。
【００７６】
（数２）、（数３）を（式Ｄ）に代入すると、
【００７７】
Ｉ１＝{α１・（Ｐ／Ｎ）＋β１}・[α２・Ｐ／{Ｔ−Ｃ・（Ｎ−１）}＋β２]・（α３・Ｃ＋β３）          …（式Ｄ-１）
【００７８】
となる。
【００７９】
出発階と停止階が決まれば、昇降距離Ｌが決まり、昇降距離Ｌ（すなわち、出発階と停止階の高低差）が決まれば前記大気圧差Ｐが決まる。また、前記加速度ａと前記定格速度ｖは、対象エレベータにおける設計仕様によって定まっている値なので、これらとＬとから（数４）により昇降時間Ｔが決まる。
【００８０】
したがって、耳詰まりの程度を指標する指標値Ｉ１を算出する（式Ｄ-１）は、ＮとＣを変数とする数式になる。換言すれば、指標値Ｉ１が最小となるＮとＣの値を求めれば、これらと、（数２）、（数３）から、ＡとＢが決定されるため、耳詰まりを緩和するために効果的な気圧制御パターンが定まるのである。
【００８１】
なお、（式Ｄ-１）における係数α１，α２，α３、定数β１，β２，β３は、加圧制御（下降運転）の場合には、（式Ａ-１）、（式Ｂ-１）、（式Ｃ-１）において対応する値を用いる。ここで、本明細書において、１次式おける係数と定数をまとめて言う場合には、「係数等」とする。
【００８２】
加圧制御（下降運転）の場合には、（式Ｄ-１）の係数等に、以下の一組の値（以下、「第１組」と称する）を用いる。
【００８３】
α１＝０.０１７４、α２＝０.６９３２、α３＝−０.０８１
【００８４】
β１＝３.１４０７、β２＝３.４１０８、β３＝３.７５３４
【００８５】
また、減圧制御（上昇運転）の場合には、（式Ｄ-１）の係数等に、（式Ａ-２）、（式Ｂ-２）、（式Ｃ-２）において対応する、以下の一組の値（以下、「第２組」と称する。）を用いる。
【００８６】
α１＝０.０２０４、α２＝０.５１３５、α３＝−０.０６７
【００８７】
β１＝１.８５８、  β２＝２.０２８４、β３＝２.５５２６
【００８８】
＜気圧制御パターン設定方法＞
改めて、実施形態に係る気圧制御パターン設定方法について説明する。
（ａ）対象となるエレベータの加速度と定格速度は、上記の通り、それぞれａ[ｍ／ｓ２]、ｖ[ｍ／ｓ]である。なお、加速度と定格速度は、エレベータの機種や設置される建物の高さ（昇降行程）などによって変わるものである。本件では、超高層ビル等に設置される、昇降行程が非常に長く（例えば、Ｌ＝７００[ｍ]）、昇降速度も非常に速いエレベータを想定している。このようなエレベータでは、一般的に、上昇時の定格速度ｖｕｐよりも下降時の定格速度ｖｄｎを遅くしている。例えば、Ｖｕｐ＝１２００[ｍ／ｓ]、Ｖｄｎ＝６００[ｍ／ｓ]である。
【００８９】
（ｂ）１回の運転における乗りかごの昇降距離をＬ[ｍ]とする。昇降距離Ｌは出発階と停止階によって定まる。
【００９０】
（ｃ）昇降距離Ｌによって定まる、出発階と停止階との間の大気圧差Ｐ[ｈPa]を定める。
大気圧差Ｐは、以下の（ｃ-１）、（ｃ-２）のいずれかによって定めることができる。
【００９１】
（ｃ-１）
【００９２】
次式（数５）により定める。
【数５】
2019151484.tif 000005
【００９３】
（数５）は、高低差（昇降距離Ｌ）に対応する大気圧差を求めるための公知の演算式である。「ｔ0」は、気温[℃]（本例では、乗りかごの昇降経路における平均的な気温）である。気温ｔ0は、前記平均的な気温を測定し得る場所に温度センサ（不図示）を設置して測定するか、あるいは、変動し得ると想定される気温の範囲では、算出される大気圧差Ｐの大きさに大差はないため、固定値（例えば、ｔ0＝１５[℃]）を用いる。
【００９４】
（ｃ-２）
昇降距離Ｌと当該昇降距離Ｌに対応する大気圧差Ｐを昇降距離Ｌ毎に記憶した不図示のテーブル（以下、「大気圧差テーブル」と称する。）を備えておき、当該大気圧差テーブルを参照して、所望の大気圧差Ｐを定める。なお、超高層ビル等において、１階とスカイロビー階を直通で運転するような、いわゆるシャトルエレベータの場合は、出発階（１階）と停止階（スカイロビー階）は一組しかないため、大気圧差テーブルは不要であり、昇降行程に対応する大気圧差Ｐを予め定めておけば足りる。
【００９５】
（ｄ）前記（数４）により、昇降時間Ｔを定める。あるいは、（数４）で逐一算出するのではなく、昇降距離Ｌとこれに対応する昇降時間Ｔを昇降距離Ｌ毎に記憶した不図示のテーブル（以下、「昇降時間テーブル」と称する。）を準備し、当該昇降時間テーブルを参照して、昇降距離Ｌに対する昇降時間Ｔを求めるようにしても構わない。
【００９６】
（ｅ）（ａ）〜（ｄ）で定まった大気圧差Ｐおよび昇降時間Ｔを（式Ｄ-１）に代入する。これにより、（式Ｄ-１）は、段数Ｎと気圧一定時間Ｃのみを変数とする数式になる。
【００９７】
ここで、指標値Ｉ１が最小となるようなＮとＣを求める。そのような、ＮとＣは、例えば、以下のようにして求めることができる。
【００９８】
Ｎは（２以上の）整数であるため、Ｎをある値に固定し、Ｃに代入する値を変化させたときにＩ１が最小となるＣの値を見つける。この手順を、Ｎの値を順次代えて実施する。そして、全体を通して、Ｉ１が最小となるときのＮとＣの組み合わせを求めるのである。
【００９９】
ここで、（式Ｄ-１）に代入するＮの範囲は、例えば、２≦Ｎ≦１０であり、Ｃの範囲は、例えば、２≦Ｃ≦１４である。この範囲は、現実の昇降距離Ｌ、昇降時間Ｔ等を勘案し、経験的に想定し得る範囲であるが、適宜変更しても構わない。
【０１００】
（ｆ）段数Ｎと気圧一定時間Ｃが求まると、段数Ｎ等から（数２）でＡを定め、段数Ｎと気圧一定時間Ｃ等から（数３）でＢを求める。
【０１０１】
以上より、気圧変化量Ａ、気圧変化率Ｂ、気圧一定時間Ｃ、および段数Ｎで定まる気圧制御パターンが設定される。
【０１０２】
なお、言うまでもなく、実際にＮとＣを求める際には、（式Ｄ-１）における係数α１，α２，α３、定数β１，β２，β３には、上記した具体的な数値（前記第１組または前記第２組）を用いる。
【０１０３】
＜（式Ｄ）、（式Ｄ-１）の補正＞
上記係数α１，α２，α３、定数β１，β２，β３に用いる具体的な値は、上記の通り、前記基準条件（Ａ０＝４.５[ｈPa]、Ｂ０＝０.５[ｈPa／ｓ]、Ｃ０＝６.０[ｓ]）の下に、生理心理評価試験によって求めた値である。基準条件は上述した方針によって選定したものの、基準条件の設定値によっては、試験の結果得られる係数α１，α２，α３、定数β１，β２，β３の値が変動する可能性がある。
【０１０４】
そこで、基準条件の設定値による影響を可能な限り排除するため、（式Ｄ）、ひいては（式Ｄ-１）を補正することとした。ここで、基準条件下（基準パターン）での耳詰まり強さを基準耳詰まり強さＥ０（前記Ｅ０ｄｎ、または、前記Ｅ０ｕｐ）とする。
【０１０５】
（式Ａ）、（式Ｂ）、（式Ｃ）の耳詰まり強さを基準耳詰まり強さＥ０に対する比として評価し、これを掛け合わせることとした。
【０１０６】
すなわち、（式Ｄ）を、
【０１０７】
Ｉ２／Ｅ０＝（ＥＡ／Ｅ０）・（ＥＢ／Ｅ０）・（ＥＣ／Ｅ０）
＝{（α１・Ａ＋β１）／Ｅ０}・{（α２・Ｂ＋β２）／Ｅ０}・{（α３・Ｃ＋β３）／Ｅ０}
【０１０８】
とした。
【０１０９】
よって、
【０１１０】
Ｉ２＝{（α１・Ａ＋β１）・（α２・Ｂ＋β２）・（α３・Ｃ＋β３）}／（Ｅ０・Ｅ０）
【０１１１】
＝（α４・Ａ＋β４）・（α５・Ｂ＋β５）・（α６・Ｃ＋β６）      …（式Ｄ-２）
【０１１２】
となる。ここで、α４、α５、α６、β４、β５、β６は、それぞれ、α１、α２、α３、β１、
β２、β３を（Ｅ０・Ｅ０）で除したものである。
【０１１３】
さらに、本願の発明者等は、（式Ｄ-２）によって算出した指標値Ｉ２と生理心理評価試験における実際のデータとを比較した。実際のデータとは、上記生理心理評価試験（i）、（ii）、（iii）において各条件下での被験者（本例では、２０人）の評点の平均値、すなわち、耳詰まり強さＥである。
【０１１４】
指標値Ｉ２を横軸に、耳詰まり強さＥ（実際のデータ）を縦軸に採ったグラフを図５に示す。図５においても、加圧制御時（下降運転時）の場合を黒丸「●」で、減圧制御時（上昇運転時）の場合を白丸「○」でそれぞれプロットした。
【０１１５】
（式Ｄ-２）によって算出した指標値Ｉ２と実際のデータとが完全に合致するのであれば、図５においてＥ＝Ｉ２で表される一点鎖線の直線上に各点がプロットされることとなる。
【０１１６】
しかしながら、図５から、加圧制御時（下降運転時）の場合も、減圧制御時（上昇運転時）の場合も、プロット点は全体的に上記直線上から離れていることが分かる。離れてはいるものの、いずれの耳詰まり強さＥも線形性を示している。
【０１１７】
すなわち、耳詰まり強さＥとＩ２とは、以下の１次式（式Ｒ）で表される。
【０１１８】
Ｅ＝ａ・Ｉ２＋ｂ          …（式Ｒ）
【０１１９】
具体的には、加圧制御時（下降運転時）の場合の耳詰まり強さＥをＥｄｎとし、減圧制御時（上昇運転時）の場合の耳詰まり強さＥをＥｕｐとすると、ＥｄｎとＥｕｐは、それぞれ、
【０１２０】
Ｅｄｎ＝１.１・Ｉ２−０.８          …（式Ｒ-１）
【０１２１】
Ｅｕｐ＝０.７・Ｉ２−０.３          …（式Ｒ-２）
【０１２２】
で表される。
【０１２３】
算出値である指標値Ｉ２を実際に得られる耳詰まり強さに近づけるため、（式Ｄ-２）を（式Ｒ）の係数および定数で補正することとした。補正後の指標値をＩｒとすると、補正後の式は以下の通りである。
【０１２４】
Ｉｒ＝ａ・Ｉ２＋ｂ
＝ａ・（α４・Ａ＋β４）・（α５・Ｂ＋β５）・（α６・Ｃ＋β６）＋ｂ  …（式Ｄ-３）
【０１２５】
（式Ｄ-３）の係数および定数に具体的な数値を入れると、加圧制御時（下降運転時）の指標値Ｉｒｄｎと減圧制御時（上昇運転時）の指標値Ｉｒｕｐは、それぞれ、以下のようになる。
【０１２６】
Ｉｒｄｎ＝{１.１×１０−１・（０.２×１０−１Ａ＋０.３）・（０.７Ｂ＋３.０）・（−０.８×１０−１Ｃ＋４.０）}−０.８          …（式Ｄ-４）
【０１２７】
Ｉｒｕｐ＝{０.２・（０.２×１０−１Ａ＋２.０）・（０.５Ｂ＋２.０）・（−０.７×１０−１Ｃ＋３.０）}−０.３          …（式Ｄ-５）
【０１２８】
ここで、（式Ｄ-４）、（式Ｄ-５）についても、これらによって算出した指標値Ｉｒｄｎ、Ｉｒｕｐと生理心理評価試験における実際のデータとを比較し、補正の効果を確認した。比較の方法は、（式Ｄ-２）についてした上記の方法と同じである。
【０１２９】
比較結果を示すグラフを図６に示す。図６から、算出式（式Ｄ-４）、（式Ｄ-５）で算出される指標値Ｉｒｄｎ、Ｉｒｕｐの値と実際のデータ（耳詰まり強さＥ）とは概ね一致しており、（式Ｄ-４）、（式Ｄ-５）は、耳詰まりの程度を指標する指標値を算出するための数式として適切であると言える。
【０１３０】
（式Ｄ-３）において「ａ」を各括弧の中に入れ、（式Ｄ-３）を一般化すると、換言すると、（式Ｄ-４）、（式Ｄ-５）を一般化すると、
【０１３１】
Ｉ３＝（α７・Ａ＋β７）・（α８・Ｂ＋β８）・（α９・Ｃ＋β９）＋ｂ          …（式Ｄ-６）
【０１３２】
となる。
【０１３３】
（式Ｄ-５）に、（数２）、（数３）を代入すると、
【０１３４】
Ｉ３＝{α７・（Ｐ／Ｎ）＋β７}・[α８・Ｐ／{Ｔ−Ｃ・（Ｎ−１）}＋β８]・（α９・Ｃ＋β９）＋ｂ          …（式Ｄ-７）
【０１３５】
となる。
【０１３６】
（式Ｄ-７）を用いて気圧制御パターンを決める場合も、上述した（ａ）〜（ｆ）と同様、Ｉ３の値が最小となるようなＮとＣを求め、ＮとＣから（数２）、（数３）よりＡ、Ｂを求める。
【０１３７】
実際には、（式Ｄ-７）の係数、定数が具体的な数値に置き換わった（式Ｄ-４）、（式Ｄ-５）を用いる。この場合、Ｉ３が最小となるＮとＣを求める際に、「ｂ」の値〔（式Ｄ-４）では「−０.８」、（式Ｄ-５）では「−０.３」）は影響しない（もっとも、指標値Ｉ３を現実の耳詰まり強さＥに可能な限り合致させるためには、「ｂ」は必要である。）。
【０１３８】
よって、結局のところ『Ａ：Ｐ／Ｎ』、『Ｂ：Ｐ／{Ｔ−Ｃ・（Ｎ−１）}』、および『Ｃ』を変数とする３つの一次式の積の値が最小になるような、ＮとＣを定めればよいことになる。
【０１３９】
ここで、当該３つの一次式の積を一般式で表すと次式（数１）になる。
【数１】
2019151484.tif 000006
【０１４０】
すなわち、気圧制御パターンを設定するには、（数１）を含む式で算出される耳詰まりの程度を指標する指標値が最小となるようなＮとＣを求めれば良いのである。
【０１４１】
なお、これまでの説明から理解されるように、係数αＡ，αＢ，およびαＣ、並びに、定数βＡ，βＢ，およびβＣは、試験（生理心理評価試験）の結果から予め定め得る値である〔（式Ｄ-１）における前記第１組および前記第２組の係数等、（式Ｄ-４）および（式Ｄ-５）における係数等〕。
【０１４２】
実際に、「Ｎ」と「Ｃ」を求める際は、（式Ｄ-１）に前記第１組または前記第２組の係数等を代入した式を用いても構わないし、好ましくは、（式Ｄ-１）に上記の補正を施した（式Ｄ-４）、（式Ｄ-５）を用いることとする。
【０１４３】
＜気圧制御パターンの例示＞
（式Ｄ-４）、（式Ｄ-５）を用いて設定された気圧制御パターンを紹介する。
【０１４４】
昇降条件を図７に示す表の左側に、各昇降条件において（式Ｄ-４）または（式Ｄ-５）を用いて設定された気圧変化量Ａ、気圧変化率Ｂ、気圧一定時間Ｃ、および段数Ｎを同表の右側に記載した。表中の項目「走行方向」において、「ＤＮ」は、加圧制御（下降運転）の場合であり、「ＵＰ」は、減圧制御（上昇運転）の場合である。なお、昇降距離Ｌに対応する大気圧差Ｐは、（数５）においてｔ0＝１５[℃]として算出した。
【０１４５】
例えば、図７におけるＮｏ.１とＮｏ.３の比較から、昇降時間Ｔの決定要因である昇降速度（定格速度、加速度）が同じでも、昇降距離Ｌが異なれば、気圧変化量Ａおよび気圧一定時間Ｃが異なるため異なった気圧制御パターンが設定されることが分かる。
【０１４６】
さらに、Ｎｏ.２とＮｏ.４の比較からも、昇降速度（定格速度、加速度）が同じでも、昇降距離Ｌが異なれば、気圧変化量Ａおよび気圧変化率Ｂが異なるため異なった気圧制御パターンが設定されることが分かる。
【０１４７】
また、例えば、Ｎｏ.１とＮｏ.５の比較から、昇降距離Ｌが同じでも、昇降時間Ｔの決定要因である昇降速度（定格速度、加速度）が異なれば、気圧変化量Ａ、気圧変化率Ｂ、および気圧一定時間Ｃが異なるため異なった気圧制御パターンが設定されることが分かる。
【０１４８】
さらに、Ｎｏ.２とＮｏ.６の比較からも、昇降距離Ｌが同じでも、昇降速度（定格速度、加速度）が異なれば、気圧変化率Ｂが異なるため異なった気圧制御パターンが設定されることが分かる。
【０１４９】
すなわち、本実施形態に係る気圧制御パターンの設定方法によれば、昇降条件（昇降距離、昇降時間）に応じた気圧制御パターンを設定することが可能である。
【０１５０】
図７のＮｏ.１とＮｏ.２の場合の気圧制御パターンをグラフで表したものを図８に示す。
【０１５１】
図８（ａ）にＮｏ.１の気圧制御パターンを実線で、図８（ｂ）にＮｏ.２の気圧制御パターンを実線で、それぞれ表している。なお、図８（ａ）、図８（ｂ）において破線は、かご室内の気圧を制御しない場合における当該かご室内の気圧変化を表している。
【０１５２】
＜エレベータ＞
続いて、本発明に係るエレベータの実施形態について図面を参照しながら説明する。図９は、実施形態に係るエレベータ１０の概略構成を示す図である。
【０１５３】
エレベータ１０は、例えば、図９に示すように、昇降路１２の上方に機械室１４を備えたトラクション式エレベータであって、機械室１４に設置された巻上機１６の駆動シーブ１８に掛けられた主ロープ２０の一端部に乗りかご２２が連結され、他端部に釣合おもり２４が連結された構成を有している。
【０１５４】
巻上機１６は、不図示の電動機を有しており、当該電動機からの回転動力が、不図示の動力伝達機構を介し、駆動シーブ１８に伝達されて、駆動シーブ１８が回転駆動されると、駆動シーブ１８に掛けられた主ロープ２０に連結されている乗りかご２２と釣合おもり２４が、それぞれに設けられた不図示のガイドレールに案内されて、昇降路１２内を互いに反対向きに昇降する。
【０１５５】
乗りかご２２の各停止階床の乗り場Ｈａ，Ｈｂ，Ｈｃには、乗りかご２２に設けられたかご扉２６に連動して開閉される乗り場扉２８ａ，２８ｂ，２８ｃが設置されている。
【０１５６】
乗り場扉２８ａ，２８ｂ，２８ｃ近傍の壁面には、乗りかご２２を呼ぶための呼びボタンを有する呼びボタン装置３０ａ，３０ｂ，３０ｃ（個々の呼びボタンについては不図示）が設置されている。呼びボタン装置３０ａ，３０ｂ，３０ｃは、いずれも、基本的には、同じ構成であるため、設置階毎に区別する場合は、アルファベットａ，ｂ，ｃの符号を付し、区別する必要のない場合は、当該符号を省略して、単に、呼びボタン装置３０として説明する。
【０１５７】
一方、乗りかご２２のかご室内には、行先階を指定するための階数ボタンを有する階数ボタン装置３２（個々の階数ボタンについては不図示）が設けられている。
【０１５８】
機械室１４には、また、前記電動機（不図示）、かご扉２６、階数ボタン装置３２、および呼びボタン装置３０ａ，３０ｂ，３０ｃ等に所定の電力を供給すると共に、これらを統括的に制御して、エレベータ１０の円滑な運転を実現する主制御盤３４が設置されている。
【０１５９】
乗りかご２２には、かご室内の気圧を調整する気圧調整装置３６が設置されている。気圧調整装置３６には、例えば、給気機能と排気機能を有する給・排気ブロアーが用いられる。また、気圧調整装置３６を制御する制御装置３８（図９では不図示、図１０参照）が設けられている。制御装置３８には、例えば、マイコンが用いられる。
【０１６０】
制御装置３８の機能ブロック図を図１０に示す。
制御装置３８は、図１０（ａ）に示すように、昇降条件記憶部４０、気圧制御パターン演算部４２、気圧制御パターン記憶部４４、および気圧制御部４６を含む。
【０１６１】
昇降条件記憶部４０は、図１０（ｂ）に示すように、昇降距離記憶部４０２と昇降速度情報記憶部４０４を含む。
【０１６２】
昇降距離記憶部４０２は、出発階と停止階の組み合わせによって定まる、１回の運転での昇降距離を当該組み合わせ毎に記憶している。
【０１６３】
昇降速度情報記憶部４０４は、エレベータ１０の仕様の一つである加速度ａと定格速度ｖを記憶している。
【０１６４】
気圧制御パターン演算部４２は、昇降距離Ｌと昇降速度（加速度、定格速度）に応じて、気圧制御パターンを設定する。
【０１６５】
気圧制御パターン演算部４２が実行する処理を、図１１に示すフローチャートに基づいて説明する。
【０１６６】
気圧制御パターン演算部４２は、主制御盤３４からかご室内気圧制御指示を受けると（ステップＳ１でＹＥＳ）、ステップ２以降の一連の処理を開始する。
【０１６７】
かご室内気圧制御指示には、呼びボタン装置３０で特定される出発階と階数ボタン装置３２で特定される停止階の情報が含まれている。出発階と停止階の情報により、次の運転が上昇運転なのか下降運転なのかが判断される。
【０１６８】
気圧制御パターン演算部４２は、当該出発階と当該停止階とから、昇降距離記憶部４０２を参照して、対応する昇降距離Ｌを決定する（ステップＳ２）。
【０１６９】
気圧制御パターン演算部４２は、決定した昇降距離Ｌから（数５）により大気圧差Ｐを求める（ステップＳ３）。
【０１７０】
また、気圧制御パターン演算部４２は、上記昇降距離Ｌと昇降速度情報記憶部４０４に記憶されている加速度ａ、定格速度ｖとから（数４）により昇降時間Ｔを算出する（ステップＳ４）。
【０１７１】
気圧制御パターン演算部４２は、ステップＳ３で求めた大気圧差ＰおよびステップＳ４で算出した昇降時間Ｔを、下降運転の場合は（式Ｄ-４）に、上昇運転の場合は（式Ｄ-５）に代入し、（式Ｄ-４）と（式Ｄ-５）のいずれかで算出される値が最も小さくなるようなＮとＣを求める（ステップＳ５）。
【０１７２】
気圧制御パターン演算部４２は、ステップＳ３で求めた大気圧差Ｐ、ステップＳ５で求めた段数Ｎから（数２）により気圧変化量Ａを算出し、ステップＳ３で求めた大気圧差Ｐ、およびステップＳ４で算出した昇降時間Ｔ、並びに、ステップＳ５で求めた気圧一定時間Ｃおよび段数Ｎから（数３）により気圧変化率Ｂを算出する（ステップＳ６）。
【０１７３】
気圧制御パターン演算部４２は、ステップＳ６で算出した気圧変化量Ａおよび気圧変化率Ｂ、並びに、ステップＳ５で求めた気圧一定時間Ｃおよび段数Ｎから気圧制御パターンを構成し、当該気圧制御パターンを気圧制御パターン記憶部４４に記憶して（ステップＳ７）一連の処理を終了する。気圧制御パターン記憶部４４に記憶される気圧制御パターンは、例えば、図８（ａ）や図８（ｂ）に示すようなパターンである。
【０１７４】
気圧制御部４６は、気圧制御パターン記憶部４４に記憶されている気圧制御パターンに従って乗りかご２２のかご室内の気圧が変化するように気圧調整装置を制御する。
【０１７５】
なお、上記ステップＳ３では、（数５）により大気圧差Ｐを算出したが、これに限らず、昇降距離Ｌと当該昇降距離Ｌに対応する大気圧差Ｐを昇降距離Ｌ毎に記憶した不図示の大気圧テーブルを予め昇降条件記憶部４０に記憶しておき、当該大気圧差テーブルを参照して、昇降距離Ｌに対応する大気圧差Ｐを求めるようにしても構わない。
【０１７６】
また、上記ステップＳ４では、（数４）により、昇降時間Ｔを定めたが、これに限らず、昇降距離Ｌとこれに対応する昇降時間Ｔを昇降距離Ｌ毎に記憶した不図示の昇降時間テーブルを予め昇降条件記憶部４０に記憶しておき、当該昇降時間テーブルを参照して、昇降距離Ｌに対する昇降時間Ｔを求めるようにしても構わない。
【０１７７】
以上、本発明を実施形態に基づいて説明してきたが、本発明は上記した形態に限られないことは勿論であり、例えば、以下のような形態としても構わない。
【０１７８】
（１）図１１に示すフローチャートにおいて、ステップＳ２で昇降距離Ｌが決定されると、ステップＳ３以降の処理を順次実施したが、昇降距離Ｌが所定の距離（例えば、３００[ｍ]）未満の場合は、気圧制御パターンは設定しない、すなわち、かご室内の気圧調整は実施しないこととしても構わない。昇降距離Ｌが短い場合、気圧調整をしなくても問題となるほどの耳詰まりは生じないからである。
【０１７９】
（２）上記実施形態では、図１１のフローチャートで示す処理手順により、呼びボタンと階数ボタンの組み合わせで決まる昇降距離Ｌに応じて逐一、気圧制御パターンを設定した。
【０１８０】
しかしながら、前記シャトルエレベータでは、昇降距離Ｌは一つに決まっているため、その都度、気圧制御パターンを設定する必要がない。そこで、シャトルエレベータのような場合は、制御装置３８（図１０（ａ））から昇降条件記憶部４０および気圧制御パターン演算部４２を除いても構わない。そして、昇降距離（昇降行程）Ｌ、当該シャトルエレベータの設計仕様で定められた加速度ａおよび定格速度ｖから上述した方法により、下降運転（加圧制御）の場合と上昇運転（減圧制御）の場合の各々について気圧制御パターンを設定し、設定した二つの気圧制御パターン（下降運転用の気圧制御パターンと上昇運転用の気圧制御パターン）を、予め、気圧制御パターン記憶部４４（図１０（ａ））に記憶することとしても構わない。そして、気圧制御部４６は、上昇運転の場合と下降運転の場合とで、上記二つの気圧制御パターンを使い分けるようにするのである。
【０１８１】
なお、高層ビル等に設置され、３か所以上の乗り場を有するものの、いわゆる急行ゾーンを設けたエレベータにおいて、当該急行ゾーンの昇降には、上記したシャトルエレベータと同様にしても構わない。すなわち、急行ゾーン用の気圧制御パターンを予め気圧制御パターン記憶部４４（図１０（ａ））に記憶しておくのである。
【０１８２】
（３）上記実施形態では、制御装置３８は、かご室内の気圧が設定された気圧制御パターンに従って変化するよう気圧調整装置３６を制御した。この制御のために、さらに、かご室内の気圧を検出する気圧センサ（不図示）を設け、フィードバック制御によりかご室内の気圧を変化させても構わない。すなわち、前記気圧センサによってかご室内の気圧を検出し、検出値を制御装置３８にフィードバックする。フィードバックされた検出値と気圧制御パターンとを比較し、両者が一致するように制御装置３８の気圧調整装置３６の制御に修正動作をおこなわせるようにするのである。これにより、一層確実に、かご室内の気圧が気圧制御パターンに従って変化するようになる。
【産業上の利用可能性】
【０１８３】
本発明に係る気圧制御パターン設定方法は、例えば、超高層ビル等に設置される昇降行程の非常に長いエレベータにおいて、乗客に生じる耳詰まりの緩和のためにかご室内の気圧を階段状に制御する場合の当該階段状の設定に好適に利用可能である。
【符号の説明】
【０１８４】
１０    エレベータ
２２    乗りかご
３６    気圧調整装置
３８    制御装置
【図１】
2019151484.tif 000009
【図２】
2019151484.tif 000010
【図３】
2019151484.tif 000011
【図４】
2019151484.tif 000012
【図５】
2019151484.tif 000013
【図６】
2019151484.tif 000014
【図７】
2019151484.tif 000015
【図８】
2019151484.tif 000016
【図９】
2019151484.tif 000017
【図１０】
2019151484.tif 000018
【図１１】
2019151484.tif 000019